(57)【特許請求の範囲】
【請求項１】
カバー部材、中板、及び下板を有する三つ折れ方式のバンドの中留であって、
前記カバー部材の外装面には、一対の開口部が前記バンドの延在方向に沿って所定間隔をもって形成されており、
前記一対の開口部内にそれぞれ挿入し互いに接離するように前記バンドの延在方向にスライド移動させることで前記カバー部材の前記外装面の裏面側に係止される係止位置を取り得る係止部を有する一対の装飾部材と、
前記カバー部材の内側に配置され、前記係止部が前記カバー部材の前記外装面の裏面側に係止された状態において前記一対の装飾部材の間に嵌装されて前記一対の装飾部材の位置を固定する位置固定部材と、
前記一対の装飾部材の間に配置された前記位置固定部材を下側から保持する保持部材と、
を備えていることを特徴とする中留。
【請求項２】
前記一対の装飾部材は、前記カバー部材の前記開口部よりも前記バンドの幅方向の長さ及び前記バンドの延在方向の長さが大きく形成された外装部と、この外装部の下側に配置され前記開口部内に挿入可能に形成された脚部と、を有し、
前記係止部は、前記一対の脚部を前記一対の開口部内にそれぞれ挿入し互いに接離するように前記バンドの延在方向にスライド移動させることで前記カバー部材の前記外装面の裏面側における係止が解除される解除位置を取り得ることを特徴とする請求項１に記載の中留。
【請求項３】
前記下板は、外側面に係止用突起が形成されており、
前記保持部材は、前記カバー部材の内側に配置されるように係止されるとともに、三つ折れ状態において前記係止用突起に係止される係止ユニットであることを特徴とする請求項１又は請求項２に記載の中留。
【請求項４】
前記位置固定部材は、前記係止部が前記係止位置にあるときに前記一対の装飾部材の前記脚部の間に嵌り合う広幅部と、前記係止部が前記解除位置にあるときに前記一対の装飾部材の前記脚部の間に配置される狭幅部と、を有し、
前記広幅部が前記一対の装飾部材の前記脚部の間に配置される固定位置から前記狭幅部が前記一対の装飾部材の前記脚部の間に配置される取り外し位置までスライド移動可能となっていることを特徴とする請求項２に記載の中留。
【請求項５】
請求項１から請求項４のいずれか一項に記載の中留を備える時計バンドと、
前記時計バンドが取り付けられる時計ケースと、
前記時計ケースの視認側に配置される表示部と、
を備えていることを特徴とする腕時計。
【発明の詳細な説明】
【技術分野】
【０００１】
本発明は、中留及び腕時計に関するものである。
【背景技術】
【０００２】
従来、腕時計等の機器ケースの一端側に取り付けられた第１のバンドと他端側に取り付けられた第２のバンドとを連結させる中留として、三つ折れ方式の中留が知られている。
三つ折れ方式の中留は、一端側が第１のバンドの自由端側に取り付けられた下板と、一端側が第２のバンドの自由端側に取り付けられるとともに、折り畳み時において下板の外側面に重なり合うように配置されるカバー部材と、一端側が下板の他端側に回動自在に連結されるとともに、他端側がカバー部材の他端側に回動自在に連結される中板とを備えている。
【０００３】
このような三つ折れ方式の中留のカバー部材は、バンドを装着した際、バンドの駒とともにバンドの外装を構成するため、このカバー部材に装飾を施すことでバンドのデザイン性を向上させることができる。
例えば特許文献１には、カバー部材を表板とこの表板の表面を覆うように取付固定されたゴム製のカバーとで構成した中留構造が記載されている。
このような構成によれば、ゴム製のカバーの形状や色を変えたり、カバーの一部にロゴ等の形状に切り欠いた窓を設ける等により、単なる板状のカバー部材を設ける場合よりもバリエーション豊かなデザインを楽しむことができる。
また、カバー部材に直接装飾部材を嵌装する等によりデザイン性を向上させることも考えられる。
【先行技術文献】
【特許文献】
【０００４】
【特許文献１】特開２００２−１９１４１５号公報
【発明の概要】
【発明が解決しようとする課題】
【０００５】
しかしながら、特許文献１に記載されているようにカバー部材を表板とこれに被覆されるゴム製のカバーとで構成した場合には、カバー部材の厚みが厚くなり、中留部分が不自然に大きくなってバンド全体との調和を欠いてしまう。
【０００６】
この点、カバー部材に直接装飾部材を嵌装する手法によれば、中留部分の大きさを変えずにデザイン性を向上させることができる。
しかし、カバー部材の表面に開口部を設けて、これに装飾部材を嵌め込むだけでは装飾部材が外れやすい。
【０００７】
そこで、装飾部材を変形可能な柔らかい材料（例えばウレタン等）で形成し、この装飾部材に、カバー部材の開口部よりも大きな脚部を設けて、脚部を押し縮めて変形させながら開口部に押し込むと、開口部を通過後に脚部が元の大きさ・形状に復元し、カバー部材の裏面側に係止され抜けなくなる構成が考えられる。
しかし、このような手法では装飾部材を変形可能な材料で形成する必要があり、自由に材料を選択することができないため、デザインのバリエーション等が制限されてしまうとの問題がある。
【０００８】
本発明は以上のような事情に鑑みてなされたものであり、各種の材料を用いてバリエーション豊富な装飾をカバー部材に施すことができ、デザイン性に優れた中留及び腕時計を提供することを目的とするものである。
【課題を解決するための手段】
【０００９】
前記課題を解決するために、本発明に係る中留は、
カバー部材、中板、及び下板を有する三つ折れ方式のバンドの中留であって、
前記カバー部材の外装面には、一対の開口部が前記バンドの延在方向に沿って所定間隔をもって形成されており、
前記一対の開口部内にそれぞれ挿入し互いに接離するように前記バンドの延在方向にスライド移動させることで前記カバー部材の前記外装面の裏面側に係止される係止位置を取り得る係止部を有する一対の装飾部材と、
前記カバー部材の内側に配置され、前記係止部が前記カバー部材の前記外装面の裏面側に係止された状態において前記一対の装飾部材の間に嵌装されて前記一対の装飾部材の位置を固定する位置固定部材と、
前記一対の装飾部材の間に配置された前記位置固定部材を下側から保持する保持部材と、
を備えていることを特徴としている。
【発明の効果】
【００１０】
本発明によれば、各種の材料を用いてバリエーション豊富な装飾をカバー部材に施すことができ、デザイン性に優れた中留及び腕時計を提供することができるという効果を奏する。
【図面の簡単な説明】
【００１１】
【図１】第１の実施形態における中留が適用されたバンドを備える腕時計の斜視図である。
【図２】第１の実施形態における中留の拡大斜視図である。
【図３】第１の実施形態における中留の分解斜視図である。
【図４】（ａ）は、図２に示す中留から装飾部材を取り外した状態を示す斜視図であり、（ｂ）は、装飾部材を取り外した状態の中留の要部断面図であり、（ｃ）は、（ｂ）に示す装飾部材をカバー部材に係止させた状態の中留の要部断面図であり、（ｄ）は、（ｃ）に示す装飾部材の間に位置固定部材を嵌め込んだ状態の中留の要部断面図である。
【図５】（ａ）は、図４（ｄ）の状態の中留に係止ユニットを嵌め込む前の状態を示す中留の要部断面図であり、（ｂ）は、（ａ）に示す中留に係止ユニットを嵌め込んだ状態を示す中留の要部断面図である。
【図６】（ａ）は、第２の実施形態における中留の位置固定部材の斜視図であり、（ｂ）は、装飾部材が固定状態となっている状態を示す中留の要部斜視図であり、（ｃ）は、装飾部材が解除状態となっている状態を示す中留の要部斜視図である。
【発明を実施するための形態】
【００１２】
［第１の実施形態］
図１から図５（ａ）及び図５（ｂ）を参照しつつ、本発明に係る中留及びこの中留を有するバンドを備える腕時計の第１の実施形態について説明する。
なお、以下に述べる実施形態では中留を有するバンドが時計のモジュール等を収納する腕時計の時計ケースに取り付けられる時計バンドである場合を例として説明する。また、以下の実施形態には、本発明を実施するために技術的に好ましい種々の限定が付されているが、本発明の範囲を以下の実施形態及び図示例に限定するものではない。
【００１３】
図１は、本実施形態における中留が適用された時計バンドを備える腕時計の斜視図である。
図１に示すように、腕時計１００は、後述する中留１０を備える時計バンド１と、この時計バンド１が取り付けられる機器ケースである時計ケース２と、時計ケース２の視認側（腕時計１００の表面側）に配置される表示部３と、を備えている。表示部３は、時計ケース２内に収納される図示しないモジュールにより動作するようになっている。
なお、図１では、腕時計１００が、指針３１等を有する文字板３２を備えるアナログ方式の表示部３を備えている場合を例示しているが、腕時計１００に設けられる表示部３はこれに限定されず、例えば液晶パネル等で構成されるデジタル方式の表示部や、アナログ方式、デジタル方式の両方を備える表示部であってもよい。
【００１４】
時計バンド１は、第１のバンド１ａと第２のバンド１ｂとを備え、第１のバンド１ａと第２のバンド１ｂとは、中留１０によって連結されている。
本実施形態では、時計ケース２の一端側である時計の６時側にバンド取付部２１ａが設けられており、このバンド取付部２１ａに第１のバンド１ａが取り付けられている。
また、時計ケース２の他端側である時計の１２時側にバンド取付部２１ｂが設けられており、このバンド取付部２１ｂに第２のバンド１ｂが取り付けられている。
【００１５】
本実施形態において、時計バンド１（第１のバンド１ａ及び第２のバンド１ｂ）は、複数の駒体１１が連結されることにより構成されている。
時計バンド１を構成する駒体１１は、例えばＡＢＳ樹脂や、ポリアリレート（ＰＡＲ）等のスーパーエンジニアリング・プラスチック、ポリアセタール（ＰＯＭ）、ポリカーボネート（ＰＣ）等のエンジニアリング・プラスチック等の硬質の合成樹脂で形成されている。
なお、駒体１１を構成する材料はここに例示したものに限定されない。例えばチタニウムやステンレス鋼（ＳＵＳ）、アルミニウム等の金属や、セラミック等によって駒体１１を形成してもよい。
【００１６】
中留１０は、下板４、中板５、及びカバー部材６を有する三つ折れ方式のバンドの中留である。
図２は、本実施形態における中留を拡大した斜視図であり、図３は、本実施形態における中留の分解斜視図である。
図２及び図３に示すように、本実施形態における中留１０は、下板４、中板５、カバー部材６の他、係止ユニット７及び位置固定部材８を備えており、カバー部材６には後述するように装飾部材９（９ａ，９ｂ）が設けられている。
【００１７】
下板４は、例えばステンレス鋼（ＳＵＳ）等の金属材料で形成された長尺な板状の部材であり、平板状の部分である下板本体４１を有している。
本実施形態では、図１等に示すように、下板本体４１は、時計バンド１を腕に装着した際に腕の形状に沿うように、長手方向においてわずかに湾曲している。
また、後述するように、下板本体４１は、枠状に形成されている中板５の切欠き部５１１よりも狭い幅に形成されており、中留１０の折り畳み状態（三つ折れ状態）において、下板本体４１が切欠き部５１１内に嵌め込まれるようになっている。
【００１８】
図１及び図３に示すように、この下板本体４１の一端側には、下板４を第１のバンド１ａの自由端側と連結させるための第１のバンド連結部４２が設けられている。第１のバンド連結部４２は、下板本体４１の外側面（すなわち、腕時計１００を腕に嵌めた際に外側となる面、図３において上側の面）から上方に立ち上がるように形成された立設部である。
駒体１１には、駒体１１の幅方向（すなわち、時計バンド１の幅方向）に貫通する連結用の軸孔（図示せず）が形成されており、第１のバンド連結部４２には、この駒体１１の連結用の軸孔に対応する位置に連結軸１２を挿通させる図示しない貫通孔が形成されている。
本実施形態では、第１のバンド１ａの自由端側に設けられた駒体１１に形成されている軸孔と、第１のバンド連結部４２の貫通孔とに連結軸１２を挿通させることにより、この連結軸１２等を介して下板４の一端側が第１のバンド１ａの自由端側に回動自在に取り付けられる。
なお、第１のバンド連結部４２は、第１のバンド１ａを下板４に回動自在に連結可能なものであればよく、その構成は図示例に限定されない。
【００１９】
下板本体４１の他端側には、下板４に中板５を連結させるための中板連結部４３が設けられている。
中板連結部４３には、下板本体４１の幅方向（時計バンド１の幅方向）に貫通する図示しない貫通孔が形成されている。
中板５は、中板連結部４３の貫通孔と中板５の中板連結部４３に形成されている貫通孔との位置を合わせた上でこの貫通孔に軸部材４３１を挿通させることにより、下板４に回動自在に取り付けられる。
なお、中板連結部４３は、中板５を下板４に回動自在に連結可能なものであればよく、その構成は図示例に限定されない。
【００２０】
また、下板４における下板本体４１の外側面（すなわち、腕時計１００を腕に嵌めた際に外側となる面、図３において上側の面）には、係止用突起４４が設けられている。
本実施形態では、係止用突起４４は、下板本体４１上の第１のバンド連結部４２の近傍であって、時計バンド１の幅方向のほぼ中央部に配置されている。
図１及び図３に示すように、本実施形態において、係止用突起４４は、下板本体４１の上に立設された軸部４４１と当該軸部４４１の先端に設けられ当該軸部４４１の径よりも径が大きく形成された係止部４４２からなり、外形形状がほぼきのこ状に形成されたロックピンである。本実施形態において、係止部４４２は、下方に向かって徐々に径が大きくなり、側面視において傘状に広がった形状となっている。
なお、係止用突起４４の形状や配置等は図示例に限定されない。
係止用突起４４は、下板本体４１に一体的に形成されていてもよいし、別部材として形成したものを下板本体４１に固定してもよい。係止用突起４４は、中留１０部分を繰り返し操作することによる磨耗に耐え得るように剛性に優れた材料で形成されている。
【００２１】
中板５は、例えばステンレス鋼（ＳＵＳ）等の金属材料で形成された長尺な部材であり、長手方向に沿って表裏に貫通する切欠き部５１１が形成された枠状の部分である中板本体５１を有している。
前述のように、切欠き部５１１の幅は、下板４の下板本体４１の幅よりも大きく形成されており、中留１０の折り畳み状態（三つ折れ状態）において、下板本体４１は切欠き部５１１内に嵌め込まれ、図２に示すように、下板４と中板５とがほぼ面一となるようになっている。また、このように下板本体４１が切欠き部５１１内に嵌め込まれた状態において、係止用突起４４は、中板５の切欠き部５１１から中板本体５１の上方に突出する。
【００２２】
図１及び図３に示すように、この中板本体５１の一端側には、中板５を下板４と連結させるための下板連結部５２が設けられている。下板連結部５２には、中板本体５１の幅方向（時計バンド１の幅方向）に貫通する図示しない貫通孔が形成されている。
中板５は、下板連結部５２の貫通孔と下板４の中板連結部４３に形成されている貫通孔との位置を合わせた上でこの貫通孔に軸部材４３１を挿通させることにより、下板４に回動自在に取り付けられる。
なお、下板連結部５２は、中板５を下板４に回動自在に連結可能なものであればよく、その構成は図示例に限定されない。
【００２３】
中板本体５１の他端側には、カバー部材６に中板５を連結させるためのカバー部材連結部５３が設けられている。
カバー部材連結部５３は、中板本体５１の外側面（すなわち、腕時計１００を腕に嵌めた際に外側となる面、図３において上側の面）から上方に立ち上がるように形成された立設部である。
後述するように、カバー部材６の一対の側壁部６１には、時計バンド１の幅方向における対応する位置に連結用の軸孔６３が形成されており、カバー部材連結部５３には、このカバー部材６の連結用の軸孔６３に対応する位置に連結軸５４を挿通させる貫通孔５３１が形成されている。
また、カバー部材連結部５３における時計バンド１の幅方向のほぼ中央部には、係止ユニット７の連結部７２が嵌め込まれる切欠き部５３２が形成されている。
本実施形態では、カバー部材連結部５３の切欠き部５３２に係止ユニット７の連結部７２を嵌め込んだ上で、カバー部材連結部５３の貫通孔５３１と係止ユニット７の連結部７２の軸孔とに連結軸５４を挿通させて、この連結軸５４の両端部をカバー部材６の側壁部６１に設けられた一対の軸孔６３にそれぞれ嵌め込むことで、中板５とカバー部材６と係止ユニット７とが連結軸５４を介してそれぞれ回動自在に連結されるようになっている。
なお、第１のバンド連結部４２は、第１のバンド１ａを中板５に回動自在に連結可能なものであればよく、その構成は図示例に限定されない。
【００２４】
カバー部材６は、中留１０の折り畳み時（すなわち、中留１０による第１のバンド１ａと第２のバンド１ｂとの連結時）において下板４及び中板５の外側面の上に重なり合うように配置されるものであり、中留１０の外観部分を構成する。
カバー部材６は、カバー部材６の外装面を構成する長尺な平板状の部である表板部６０と、この表板部６０の両側部に垂設される一対の側壁部６１とを有している。
【００２５】
カバー部材６は、例えばＡＢＳ樹脂や、ポリアリレート（ＰＡＲ）等のスーパーエンジニアリング・プラスチック、ポリアセタール（ＰＯＭ）、ポリカーボネート（ＰＣ）等のエンジニアリング・プラスチック等の硬質の合成樹脂で形成されている。なお、カバー部材６を構成する材料はここに例示したものに限定されない。例えばチタニウムやステンレス鋼（ＳＵＳ）、アルミニウム等の金属や、セラミック等によってカバー部材６を形成してもよい。
なお、カバー部材６を、第１のバンド１ａ及び第２のバンド１ｂを構成する駒体１１と同じ材料で形成した場合には、中留１０の部分が目立たなくなり、第１のバンド１ａ及び第２のバンド１ｂがあたかも一繋がりであるかのような優れた外観の時計バンド１を実現することができ、好ましい。
【００２６】
上記側壁部６１の一端側には、カバー部材６を第２のバンド１ｂの自由端側と連結させるための連結用の軸孔６２が、一対の側壁部６１のそれぞれ対応する位置に設けられている。
本実施形態において、第２のバンド１ｂの自由端側に設けられた駒体１１には、駒体１１の幅方向（すなわち、時計バンド１の幅方向）に貫通する連結用の貫通孔（図示せず）が形成されており、側壁部６１の軸孔６２は、この駒体１１の貫通孔に対応する位置に配置されている。
駒体１１の貫通孔に連結軸１３を挿通させ、この連結軸１３の両端部を一対の側壁部６１に形成された軸孔６２にそれぞれ係止させることにより、この連結軸１３を介してカバー部材６の一端側が第２のバンド１ｂの自由端側に回動自在に取り付けられる。
なお、図２及び図３等に示すように、軸孔６２は、一対の側壁部６１のそれぞれ対応する位置に時計バンド１の延在方向に沿って複数設けられていることが好ましい。このように軸孔６２を時計バンド１の延在方向に沿って複数設けることにより、連結軸１３を係止させる軸孔６２を変えることで、駒体１１の着脱等を行うことなく、時計バンド１の長さを簡易に微調整することが可能となる。
【００２７】
一対の側壁部６１の他端側には、カバー部材６を中板５の他端側と連結させるための連結軸５４の端部が嵌め込まれる連結用の軸孔６３が設けられている。
前述のように、本実施形態では、中板５のカバー部材連結部５３に形成された貫通孔５３１と係止ユニット７の連結部７２に形成された軸孔とに連結軸５４を挿通させて中板５と係止ユニット７とを連結させた上で、この連結軸５４の両端部をカバー部材６の側壁部６１に設けられた一対の軸孔６３にそれぞれ嵌め込むことで、中板５とカバー部材６と係止ユニット７とが連結軸５４を介してそれぞれ回動自在に連結される。
【００２８】
また、一対の側壁部６１において軸孔６２と軸孔６３との間には、後述する係止ユニット７のプッシュボタン７４が嵌め込まれる開口部６４が形成されている。
係止ユニット７は、連結部７２が中板５とともにカバー部材６の側壁部６１に軸支され、プッシュボタン７４が開口部６４に嵌め込まれることにより、カバー部材６内の所定位置に保持される。
【００２９】
カバー部材６の外装面を構成する表板部６０には、一対の開口部６５が時計バンド１の延在方向に沿って所定間隔をもって形成されている。
本実施形態では、矩形の開口部６５が時計バンド１の延在方向に沿ってほぼ一直線上に並んで配置されている。
後述するように、各開口部６５には、装飾部材９（９ａ，９ｂ）がそれぞれ装着されるようになっている。
開口部６５の大きさや形状、配置等は、装飾部材９（９ａ，９ｂ）の大きさや形状、カバー部材６の外装面において装飾部材９（９ａ，９ｂ）を配置したい位置等に応じて適宜決定される。
【００３０】
装飾部材９（９ａ，９ｂ）は、図３等に示すように、カバー部材６の開口部６５に対応して一対設けられている。
装飾部材９は、例えばＡＢＳ樹脂や、ポリアリレート（ＰＡＲ）等のスーパーエンジニアリング・プラスチック、ポリアセタール（ＰＯＭ）、ポリカーボネート（ＰＣ）等のエンジニアリング・プラスチック等の硬質の合成樹脂や、チタニウム、ステンレス鋼（ＳＵＳ）、アルミニウム等の金属や、セラミック、ガラス等で形成されている。なお、カバー部材６を構成する材料はここに例示したものに限定されない。
【００３１】
装飾部材９（９ａ，９ｂ）は、外装部９１と、この外装部９１の下側に配置された脚部９２と、係止部９２１とを有している。
図４（ａ）は、中留１０から装飾部材９ａ，９ｂを取り外した状態を示す斜視図であり、図４（ｂ）は、装飾部材９ａ，９ｂを取り外した状態の中留１０の要部断面図であり、図４（ｃ）は、図４（ｂ）に示す装飾部材９ａ，９ｂをカバー部材６に係止させた状態の中留１０の要部断面図である。
【００３２】
外装部９１はカバー部材６の開口部６５よりも時計バンド１の幅方向の長さ及び時計バンド１の延在方向の長さが大きく形成された平板状の部であり、図２及び図４（ｃ）等に示すように、装飾部材９をカバー部材６に装着した際に、カバー部材６の表板部６０の表面に露出して、カバー部材６の表板部６０とともに中留１０の外装部分を構成する。
本実施形態では外装部９１は、図３等に示すように、わずかに段差を有する形状となっているが、形状は図示例に限定されない。
また、外装部９１は、カバー部材６の開口部６５よりも大きく、開口部６５全体を覆うことができる程度の大きさであればよく、その形状は開口部６５と同じでなくてもよい。例えば、開口部６５が矩形である場合に外装部９１がこれを覆う大きさの各種多角形や円形、楕円形等であってもよい。
外装部９１の表面には模様や各種ロゴ等が施されていてもよいし、ガラス等で形成された装飾ピースを埋め込む等の装飾が施されていてもよい。
【００３３】
脚部９２は、図４（ｂ）及び図４（ｃ）に示すように、カバー部材６の開口部６５内に挿入可能に形成された部分である。すなわち、脚部９２は、カバー部材６の開口部６５よりも時計バンド１の幅方向の長さ及び時計バンド１の延在方向の長さが小さく形成されており、装飾部材９をカバー部材６に装着した際に、脚部９２は、カバー部材６の内側であって表板部６０の裏面側に配置される。
【００３４】
係止部９２１は、脚部９２の一端から時計バンド１の延在方向に張り出した張出部であり、一対の装飾部材９（９ａ，９ｂ）における係止部９２１は互いに逆側に張り出している。すなわち、装飾部材９ａの係止部９２１は第１のバンド１ａの連結されている側（図３等において左側）に張り出し、装飾部材９ｂの係止部９２１は第２のバンド１ｂの連結されている側（図３等において右側）に張り出している。
係止部９２１は、一対の装飾部材９（９ａ，９ｂ）にそれぞれ設けられている脚部９２を一対の開口部６５内にそれぞれ挿入し互いに接離するように時計バンド１の延在方向にスライド移動させることでカバー部材６の外装面（すなわち、外装面を構成する表板部６０）の裏面側に係止される係止位置と係止が解除される解除位置とを取り得るようになっている。
本実施形態では、脚部９２を一対の開口部６５内にそれぞれ挿入した後、装飾部材９（９ａ，９ｂ）を互いに離間する方向にスライド移動させると、図４（ｃ）に示すように、係止部９２１の上側の面（図４（ｃ）等において上側の面、時計バンド１における外側の面）がカバー部材６の表板部６０の裏面側に当接して、脚部９２が開口部６５から上方向に抜けないようになる。
また、逆に開口部６５内に脚部９２が挿入されている装飾部材９（９ａ，９ｂ）を互いに接近する方向にスライド移動させ、係止部９２１の上方にカバー部材６の表板部６０の開口部６５が配置されると、脚部９２を開口部６５から抜き取ることができ、装飾部材９をカバー部材６から取り外すことができる。
【００３５】
位置固定部材８は、カバー部材６の内側に配置され、係止部９２１がカバー部材６の表板部６０（すなわち、外装面）の裏面側に係止された状態において一対の装飾部材９（９ａ，９ｂ）の脚部９２の間に嵌装されて一対の装飾部材９（９ａ，９ｂ）の位置を固定するものである。
位置固定部材８は、例えば硬質の合成樹脂や、ステンレス鋼（ＳＵＳ）等の金属、セラミック等で形成されている。なお、位置固定部材８を構成する材料はここに例示したものに限定されない。
例えば、位置固定部材８を弾性変形可能な材料で形成し、脚部９２の間に圧入するようにしてもよい。位置固定部材８をこのような構成とした場合には、位置固定部材８を脚部９２の間に嵌装することで、位置固定部材８によって一対の脚部９２を互いに離間する方向に押圧することができ、より確実に一対の装飾部材９（９ａ，９ｂ）の位置を固定することができる。
【００３６】
図４（ｄ）は、図４（ｃ）に示す装飾部材９ａ，９ｂの間に位置固定部材８を嵌め込んだ状態の中留１０の要部断面図である。
装飾部材９（９ａ，９ｂ）は、その係止部９２１を表板部６０の裏面側に当接させたのみでは、自由にスライド移動できる状態であり、係止部９２１の位置がずれれば開口部６５から抜け落ちてしまう。
この点、図４（ｄ）に示すように、係止部９２１がカバー部材６の表板部６０の裏面側に係止される係止位置にある状態において、装飾部材９ａ，９ｂの間に位置固定部材８を嵌め込むと、装飾部材９（９ａ，９ｂ）は、互いに離間して、係止部９２１がそれぞれ表板部６０の裏面側に係止された状態から移動できなくなり、係止部９２１が係止位置にとどまるように装飾部材９（９ａ，９ｂ）の位置が固定される。
【００３７】
係止ユニット７は、ユニット本体７１と、その一端部（本実施形態では、第１のバンド１ａ側に配置される端部、図３等において左側端部）に設けられ中板５のカバー部材連結部５３の切欠き部５３２に嵌め込まれる連結部７２とを備えている。
連結部７２には、時計バンド１の幅方向に貫通する軸孔が形成されており、連結部７２が中板５の切欠き部５３２に嵌め込まれた際にカバー部材連結部５３の貫通孔５３１と連結部７２の軸孔とが連通するようになっている。
【００３８】
ユニット本体７１には、中留１０の折り畳み状態（三つ折れ状態）において下板４の係止用突起４４に係止される開閉窓７３が形成されている。また、ユニット本体７１の両側部には、プッシュボタン７４が突出している。
ユニット本体７１は、内部に図示しないばね等を含むプッシュユニットを内蔵しており、プッシュボタン７４を内側に押し込むことで開閉窓７３が開口して係止用突起４４の係止部４４２を受け入れ、プッシュボタン７４から手を放すと図示しないばねの復元力等によって開閉窓７３が閉じて係止用突起４４の係止部４４２を挟み込むようになっている。これにより、係止ユニット７は係止用突起に係止される。
なお、ユニット本体７１に内蔵されるプッシュユニットは、各種公知の構成を適用することができるものであるため、詳細な説明は省略する。
【００３９】
図５（ａ）は、図４（ｄ）の状態の中留１０に係止ユニット７を嵌め込む前の状態を示す中留１０の要部断面図であり、図５（ｂ）は、図５（ａ）に示す中留１０に係止ユニット７を嵌め込んだ状態を示す中留１０の要部断面図である。
本実施形態において、係止ユニット７は、中留１０の折り畳み状態（三つ折れ状態）において装飾部材９の脚部９２の間に配置された位置固定部材８を下側から保持する保持部材として機能する。
すなわち、係止ユニット７は中板５とともに連結軸５４によってカバー部材６の側壁部６１に軸支され、プッシュボタン７４が開口部６４に嵌め込まれることにより、図５（ｂ）に示すように、カバー部材６の内側であって、位置固定部材８の下面に当接して下側から位置固定部材８を支持し得る所定位置に配置される。
【００４０】
次に、本実施形態における中留及びこれを適用した腕時計１００の作用について説明する。
【００４１】
本実施形態において、時計バンド１は、時計ケース２のバンド取付部２１ａに第１のバンド１ａを取り付け、バンド取付部２１ｂに第２のバンド１ｂを取り付けて、第１のバンド１ａと第２のバンド１ｂの各自由端を繋ぐ位置に中留１０を取り付けることで構成される。
中留１０を時計バンド１に取り付ける際には、中留１０の下板４における第１のバンド連結部４２に第１のバンド１ａの自由端側を取り付け、第２のバンド１ｂの自由端側に連結軸１３を挿通させ、この連結軸１３の両端部をカバー部材６における軸孔６２に嵌め込むことで第２のバンド１ｂをカバー部材６に取り付ける。
また、下板４の中板連結部４３と中板５の下板連結部５２とに軸部材４３１を挿通させて下板４に中板５を取り付ける。
【００４２】
さらに、図４（ｂ）及び図４（ｃ）に示すように、装飾部材９ａ，９ｂをそれぞれ係止部９２１が時計バンド１の延在方向において互いに逆側に配置される向きで、カバー部材６の一対の開口部６５に装着する。すなわち、各装飾部材９ａ，９ｂの外装部９１が各開口部６５の上に配置されるようにして各装飾部材９ａ，９ｂの脚部９２を開口部６５内に挿入し、その後、装飾部材９ａ，９ｂをそれぞれ係止部９２１の設けられている側にスライド移動させる。各装飾部材９ａ，９ｂの係止部９２１がカバー部材６の表板部６０の裏面側に係止された係止位置に配置されると、図４（ｃ）及び図４（ｄ）に示すように、カバー部材６の表板部６０の裏面側から各装飾部材９ａ，９ｂの脚部９２の間に位置固定部材８を嵌め込み、各装飾部材９ａ，９ｂの位置を保持する。
【００４３】
また、中板５のカバー部材連結部５３と係止ユニット７の連結部７２とに軸５４を挿通させた上で、この軸５４の各端部をカバー部材６における軸孔６３に嵌め込み、さらに係止ユニット７のプッシュボタン７４をカバー部材６の開口部６４に嵌め込むことでプッシュボタン７４をカバー部材６の外側に突出させる。これにより、中板５と係止ユニット７とがカバー部材６に係止されるとともに、係止ユニット７が、図５（ａ）及び図５（ｂ）に示すように、カバー部材６の内側であって、位置固定部材８の下面に当接して下側から位置固定部材８を支持し得る位置に保持される。
これにより、中留１０の組み立てが完了する。なお、中留１０の組み立て手順は上記に限定されない。
【００４４】
中留１０を留める（連結する）際には、下板４、中板５及びカバー部材６を三つ折れに折り畳み、係止ユニット７のプッシュボタン７４を押し込んで開閉窓７３を開口して係止用突起４４の係止部４４２を受け入れ、プッシュボタン７４から手を放すことで開閉窓７３を閉じ係止用突起４４の係止部４４２を開閉窓７３内に挟み込む。これにより、係止ユニット７が係止用突起に係止された維持され、中留１０は、第１のバンド１ａと第２のバンド１ｂとを連結させた連結状態となる。
また、中留１０の連結を解除する場合には、再びプッシュボタン７４を押し込んで、係止用突起４４の係止状態を解除する。これにより、中留１０の連結状態が解除され、時計バンド１が取り外し可能な状態となる。
【００４５】
カバー部材６から装飾部材９を取り外す場合には、まず係止ユニット７と中板５とをカバー部材６から取り外し、さらに位置固定部材８を装飾部材９ａ，９ｂの脚部９２の間から取り外す。これにより、装飾部材９ａ，９ｂは自由にスライド移動できる状態となり、脚部９２をカバー部材６の表板部６０の開口部６５から抜いて装飾部材９をカバー部材６から取り外すことが可能となる。
【００４６】
以上のように、本実施形態によれば、中留１０のカバー部材６には、その外装面である表板部６０に、少なくとも一対の開口部６５が時計バンド１の延在方向に沿って所定間隔をもって形成されており、この開口部６５に装飾部材９が装着されるようになっている。これにより、カバー部材６全体にカバーを被せる等の手法をとった場合と比べて中留部分の大きさや厚みを大きくすることなく、中留１０のデザイン性を向上させることができる。
また、装飾部材９は、カバー部材６の開口部６５よりも時計バンド１の幅方向の長さ及び時計バンド１の延在方向の長さが大きく形成された外装部９１と、この外装部９１の下側に配置され開口部６５内に挿入可能に形成された脚部９２と、一対の脚部９２を一対の開口部６５内にそれぞれ挿入し互いに接離するように時計バンド１の延在方向にスライド移動させることでカバー部材６の表板部６０の裏面側に係止される係止位置と係止が解除される解除位置とを取り得る係止部９２１とを有している。このため、装飾部材９をカバー部材６に装着する際に装飾部材９の脚部等を変形させる必要がなく、変形しにくい硬質な材料で装飾部材９を形成することが可能となる。これによって、金属やセラミック等を用いて高級感のある装飾部材９を形成したり、変色や劣化が少ない硬質の合成樹脂等を用いて、色等のバリエーションが豊富な装飾部材９を形成する等が可能となり、中留１０及びこれを備える時計バンド１の高級感を演出したり、デザイン性を向上させたりすることができる。
さらに、本実施形態の中留１０は、装飾部材９の係止部９２１がカバー部材６の表板部６０の裏面側に係止された状態において一対の装飾部材９の脚部９２の間に嵌装されて一対の装飾部材９の位置を固定する位置固定部材８と、この位置固定部材８を下側から保持する保持部材としての係止ユニット７とを備えている。これにより、カバー部材６に装着された装飾部材９が係止位置からずれて開口部６５から抜け落ちるのを防止することができる。
また、本実施形態では、三つ折れ方式の中留１０において係止用突起４４に係止される部材である係止ユニット７が位置固定部材８を下側から保持する保持部材として機能する。このため、位置固定部材８を保持するための部材を別途設ける必要がなく、部品点数を増やすことなく、装飾部材９の抜け落ちを確実に防止することができる。
そして、このように、中留１０のカバー部材６に各種材料で形成可能な装飾部材９を装着することができるため、中留１０が駒体１１等と調和した優れた外観の時計バンド１及びこれを備える腕時計１００を実現することができる。
【００４７】
［第２の実施形態］
次に、図６（ａ）から図６（ｃ）を参照しつつ、本発明に係る中留及びこの中留を有するバンドを備える腕時計の第２の実施形態について説明する。なお、本実施形態は、位置固定部材の構成のみが第１の実施形態と異なるものであるため、以下においては、特に第１の実施形態と異なる点について説明する。
【００４８】
図６（ａ）は、本実施形態に係る中留１０に設けられる位置固定部材８０の斜視図である。
図６（ａ）に示すように、本実施形態の位置固定部材８０は、係止部９２１が係止位置にあるときに一対の装飾部材９（９ａ，９ｂ）の脚部９２の間に嵌り合う広幅部８１と、係止部９２１が解除位置にあるときに一対の装飾部材９（９ａ，９ｂ）の脚部９２の間に配置される狭幅部８２と、を有しており、平面視においてほぼＴ字型となっている。
広幅部８１及び狭幅部８２の大きさ・形状等は、カバー部材６の内側の大きさや装飾部材９（９ａ，９ｂ）の脚部９２の大きさ・形状等に応じて適宜変形可能である。
【００４９】
図６（ｂ）は、位置固定部材８０の広幅部８１が一対の装飾部材９（９ａ，９ｂ）の脚部９２の間に配置されている状態を示す斜視図であり、図６（ｃ）は、位置固定部材８０の狭幅部８２が一対の装飾部材９（９ａ，９ｂ）の脚部９２の間に配置されている状態を示す斜視図である。なお、図６（ｂ）及び図６（ｃ）においては、中留１０の組み立て状態において係止ユニット７によって覆われてしまう部分を図示する都合上、係止ユニット７を二点鎖線で示している。
【００５０】
本実施形態では、位置固定部材８０は、広幅部８１が一対の装飾部材９（９ａ，９ｂ）の脚部９２の間に配置される固定位置（図６（ｂ）に示す位置）から狭幅部８２が一対の装飾部材９（９ａ，９ｂ）の脚部９２の間に配置される取り外し位置（図６（ｃ）に示す位置）までスライド移動可能となっている。
位置固定部材８０が固定位置にある状態とは、図６（ｂ）に示すように、位置固定部材８０の広幅部８１が一対の装飾部材９（９ａ，９ｂ）の脚部９２の間隔を押し広げて、一対の装飾部材９（９ａ，９ｂ）の係止部９２１が表板部６０の裏面側に係止される係止位置を保持させることができる状態である。
また、位置固定部材８０が取り外し位置にある状態とは、図６（ｃ）に示すように、位置固定部材８０の広幅部８１が装飾部材９（９ａ，９ｂ）の脚部９２が配置されていないカバー部材６内の幅方向（時計バンド１の幅方向）の端部に移動して、位置固定部材８０による装飾部材９（９ａ，９ｂ）の位置固定が解除された状態である。位置固定部材８０が取り外し位置にある状態では、装飾部材９（９ａ，９ｂ）が自由に移動することができ、開口部６５から脚部９２を抜き取ることで、装飾部材９（９ａ，９ｂ）をカバー部材６から取り外すことが可能となる。
【００５１】
本実施形態の位置固定部材８０は、図６（ｂ）及び図６（ｃ）に示すように、下側から保持部材である係止ユニット７で支持されている状態でも、その一部が係止ユニット７によって覆われずに露出した状態となる。
このため、係止ユニット７や中板５をカバー部材６から取り外す等の分解作業を行うことなく、指先や棒状の道具を用いて、位置固定部材８０を固定位置（図６（ｂ）に示す位置）から取り外し位置（図６（ｃ）に示す位置）までスライド移動させることができる。これにより、ユーザ等が容易に装飾部材９（９ａ，９ｂ）を着脱することができ、装飾部材９（９ａ，９ｂ）を取り換えてさらにバリエーションに富んだ装飾を中留１０に施すことができる。
【００５２】
なお、その他の構成は、第１の実施形態と同様であることから、同一部材には同一の符号を付して、その説明を省略する。
【００５３】
次に、本実施形態における中留及びこれを適用した腕時計の作用について説明する。
【００５４】
まず、中留１０を時計バンド１に取り付ける際には、第１の実施形態と同様に、下板４を第１のバンド１ａの自由端側を取り付け、第２のバンド１ｂをカバー部材６に取り付け、下板４に中板５を取り付ける。
そして、各装飾部材９ａ，９ｂの外装部９１が各開口部６５の上に配置されるようにして各装飾部材９ａ，９ｂの脚部９２を開口部６５内に挿入し、その後、装飾部材９ａ，９ｂをそれぞれ係止部９２１の設けられている側にスライド移動させる。各装飾部材９ａ，９ｂの係止部９２１がカバー部材６の表板部６０の裏面側に係止された係止位置に配置されると、図６（ｂ）に示すように、カバー部材６の表板部６０の裏面側から各装飾部材９ａ，９ｂの脚部９２の間に位置固定部材８０の広幅部８１が配置されるように位置固定部材８０を嵌め込み、各装飾部材９ａ，９ｂの位置を保持する。
さらに、中板５及び係止ユニット７をカバー部材６に係止するとともに、係止ユニット７のプッシュボタン７４を開口部６４に嵌め込み、係止ユニット７を、カバー部材６の内側であって、位置固定部材８０の下面に当接して下側から位置固定部材８０を支持し得る位置に配置する。
これにより、中留１０の組み立てが完了する。なお、中留１０の組み立て手順は上記に限定されない。
【００５５】
装飾部材９ａ，９ｂをカバー部材６から取り外す場合には、位置固定部材８０における係止ユニット７によって覆われていない部分に指先や棒状の道具を引っ掛けて、広幅部８１を脚部９２と接触しないカバー部材６の幅方向（時計バンド１の幅方向）の端部までスライド移動させる。広幅部８１がカバー部材６の幅方向の端部に移動して、脚部９２の間に狭幅部８２が配置された状態となると、装飾部材９（９ａ，９ｂ）が自由に移動可能となり、開口部６５から脚部９２を抜き取ることで、装飾部材９（９ａ，９ｂ）をカバー部材６から取り外すことができる。
【００５６】
なお、その他の点については、第１の実施形態と同様であることから、その説明を省略する。
【００５７】
以上のように、本実施形態によれば、第１の実施形態と同様の効果を得られる他、以下の効果を得ることができる。
すなわち、本実施形態の位置固定部材８０は、脚部９２の間に配置することで係止部９２１を係止位置に保持することのできる広幅部８１と、位置固定部材８０が脚部９２の間に配置された状態において係止部９２１が解除位置を取り得る狭幅部８２とを有し、広幅部８１が一対の装飾部材９（９ａ，９ｂ）の脚部９２の間に配置される固定位置（図６（ｂ）に示す位置）から狭幅部８２が一対の装飾部材９（９ａ，９ｂ）の脚部９２の間に配置される取り外し位置（図６（ｃ）に示す位置）まで位置固定部材８０をスライド移動させることが可能となっている。
このため、位置固定部材８０を指先や棒状の道具等によってスライド移動させるだけでユーザ等が容易に装飾部材９（９ａ，９ｂ）を着脱することができる。これにより、例えば材質や色、形状等の異なる各種の装飾部材９（９ａ，９ｂ）を用意しておき、気分や用途に応じて適宜装飾部材９（９ａ，９ｂ）を取り換えることで、さらにバリエーション豊富でデザイン性に富んだ中留１０、及びこれを備える時計バンド１を実現することができる。
【００５８】
なお、以上本発明の実施形態について説明したが、本発明は、かかる実施形態に限定されず、その要旨を逸脱しない範囲で、種々変形が可能であることは言うまでもない。
【００５９】
例えば、上記各実施形態では、装飾部材９を装着する開口部６５を一対（２つ）設けて、２つの装飾部材９をカバー部材６に装着する場合を例示したが、カバー部材６に設けられる開口部６５及びこれに装着される装飾部材９の数は２つに限定されない。
カバー部材６に設けられる開口部６５及びこれに装着される装飾部材９は、少なくとも一対であればよく、例えば一対（２つ）の開口部６５及び装飾部材９をカバー部材６の幅方向（すなわち時計バンド１の幅方向）に２列並べて、２対（４つ）の開口部６５及び装飾部材９を設けてもよい。
この場合、一対（２つ）の装飾部材９についてそれぞれ位置固定部材８，８０を設けてもよいし、２列に並んだ２対（４つ）の装飾部材９について１つの位置固定部材８，８０で位置固定を行うようにしてもよい。
【００６０】
また、上記各実施形態では、一対の開口部６５が、カバー部材６の表板部６０に時計バンド１の延在方向に沿ってほぼ一直線上に配置されている場合を例示したが、一対の開口部６５の配置は、これに限定されず、時計バンド１の延在方向に沿う直線上から多少ずれた位置に配置されていてもよい。この場合でも、双方の開口部６５に装着される一対の装飾部材９ａ，９ｂの脚部９２の間に位置固定部材８，８０（位置固定部材８０においては、広幅部８１）を嵌装可能な範囲内に開口部６５が配置されていれば、位置固定部材８，８０による装飾部材９ａ，９ｂの位置固定が可能である。
【００６１】
また、上記各実施形態では、装飾部材９ａ，９ｂの係止部９２１が互いに離間した状態のときに装飾部材９ａ，９ｂの位置が固定される係止位置となり、係止部９２１同士が近接した状態のときに係止が解除される解除位置となり、脚部９２の間に位置固定部材８，８０を嵌装して脚部９２の間隔を広げることで装飾部材９ａ，９ｂが固定される場合を例示したが、装飾部材９ａ，９ｂの位置固定の仕方はこれに限定されない。
例えば、装飾部材９ａ，９ｂの係止部９２１同士が近接した状態のときに装飾部材９ａ，９ｂの位置が固定される係止位置となり、係止部９２１が互いに離間した状態のときに係止が解除される解除位置となる構成としてもよい。
この場合には、位置固定部材８，８０は、例えば一対の脚部９２を挟み込んで固定するコ字状の部材とする。
【００６２】
また、上記各実施形態では、保持部材がプッシュユニットを内蔵した係止ユニット７である場合を例示したが、保持部材は係止ユニット７に限定されない。
例えば、中留１０がプッシュユニットを備えない構成の場合には、係止ユニット７に代えて位置固定部材８，８０を下側から支持可能なスペーサ等を保持部材として配置してもよい。
【００６３】
また、上記各実施形態では、時計バンド１が複数の駒体１１から構成されている場合を例として説明したが、本発明の中留を適用可能な時計バンドは複数の駒体１１で構成されるものに限定されない。例えば、時計バンド１（第１のバンド１ａ及び第２のバンド１ｂ）がウレタン樹脂や革等で形成され、第１のバンド１ａ及び第２のバンド１ｂを連結させるバックル部分に本発明の中留を適用してもよい。
【００６４】
また、上記各実施形態では、中留１０が腕時計１００の時計バンド１に設けられている場合を例示したが、本発明の中留を適用可能なバンドは、時計バンドに限定されない。
第１のバンドと第２のバンドとを備え、これらを中留によって連結する構造のバンドであれば、本発明の中留を広く適用することができる。
【００６５】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
カバー部材、中板、及び下板を有する三つ折れ方式のバンドの中留であって、
前記カバー部材の外装面には、一対の開口部が前記バンドの延在方向に沿って所定間隔をもって形成されており、
前記一対の開口部内にそれぞれ挿入し互いに接離するように前記バンドの延在方向にスライド移動させることで前記カバー部材の前記外装面の裏面側に係止される係止位置を取り得る係止部を有する一対の装飾部材と、
前記カバー部材の内側に配置され、前記係止部が前記カバー部材の前記外装面の裏面側に係止された状態において前記一対の装飾部材の間に嵌装されて前記一対の装飾部材の位置を固定する位置固定部材と、
前記一対の装飾部材の間に配置された前記位置固定部材を下側から保持する保持部材と、
を備えていることを特徴とする中留。
＜請求項２＞
前記一対の装飾部材は、前記カバー部材の前記開口部よりも前記バンドの幅方向の長さ及び前記バンドの延在方向の長さが大きく形成された外装部と、この外装部の下側に配置され前記開口部内に挿入可能に形成された脚部と、を有し、
前記係止部は、前記一対の脚部を前記一対の開口部内にそれぞれ挿入し互いに接離するように前記バンドの延在方向にスライド移動させることで前記カバー部材の前記外装面の裏面側における係止が解除される解除位置を取り得ることを特徴とする請求項１に記載の中留。
＜請求項３＞
前記下板は、外側面に係止用突起が形成されており、
前記保持部材は、前記カバー部材の内側に配置されるように係止されるとともに、三つ折れ状態において前記係止用突起に係止される係止ユニットであることを特徴とする請求項１又は請求項２に記載の中留。
＜請求項４＞
前記位置固定部材は、前記係止部が前記係止位置にあるときに前記一対の装飾部材の前記脚部の間に嵌り合う広幅部と、前記係止部が前記解除位置にあるときに前記一対の装飾部材の前記脚部の間に配置される狭幅部と、を有し、
前記広幅部が前記一対の装飾部材の前記脚部の間に配置される固定位置から前記狭幅部が前記一対の装飾部材の前記脚部の間に配置される取り外し位置までスライド移動可能となっていることを特徴とする請求項２に記載の中留。
＜請求項５＞
請求項１から請求項４のいずれか一項に記載の中留を備える時計バンドと、
前記時計バンドが取り付けられる時計ケースと、
前記時計ケースの視認側に配置される表示部と、
を備えていることを特徴とする腕時計。
【符号の説明】
【００６６】
１      時計バンド
４      下板
５      中板
６      カバー部材
７      係止ユニット
８      位置固定部材
９      装飾部材
１０    中留
６０    表板部
６１    側壁部
６５    開口部
８１    広幅部
８２    狭幅部
９１    外装部
９２    脚部
１００  腕時計
９２１  係止部
【図１】
0006421586.tif 000002
【図２】
0006421586.tif 000003
【図３】
0006421586.tif 000004
【図４】
0006421586.tif 000005
【図５】
0006421586.tif 000006
【図６】
0006421586.tif 000007